(57)【要約】【課題】  スライドショーを鑑賞する際の興趣をより引き立たせることができる画像再生装置、並びにスライドショーデータ作成方法およびプログラムを提供する。【解決手段】  画像再生装置としてのパーソナルコンピュータ（ＰＣ）２は、スライドショーに用いる画像データから音声データを抽出する音声データ抽出回路２１と、スライドショーの全編にわたって音声が出力されるように、音声データがない画像データに抽出した音声データを補填して、スライドショーに用いる音声データを編集する音声データ編集回路２２とを有する。音声データ編集回路２２は、音声データ抽出回路２０で抽出し、撮影場所特定回路２０で同一の撮影場所と判断された画像データの音声データ同士を、スライドショーの表示順に沿って繋ぎ合わせ、この繋ぎ合わせた音声データで補填を行う。【選択図】        図１
2006304091.tif 000002
【特許請求の範囲】
【請求項１】
音声データ付きの画像データを含む複数の画像データを記憶する記憶手段と、画像を表示する画像表示手段と、音声を出力する音声出力手段とを備え、音声とともに画像をスライドショーで表示する画像再生装置において、
スライドショーに用いる画像データから音声データを抽出する音声データ抽出手段と、
スライドショーの全編にわたって音声が出力されるように、音声データがない画像データに前記音声データ抽出手段で抽出した音声データを補填して、スライドショーに用いる音声データを編集する音声データ編集手段とを有することを特徴とする画像再生装置。
【請求項２】
前記音声データ編集手段は、前記音声データ抽出手段で抽出した音声データを繋ぎ合わせ、この繋ぎ合わせた音声データで前記補填を行うことを特徴とする請求項１に記載の画像再生装置。
【請求項３】
前記音声データ編集手段は、スライドショーの全表示時間と、音声データの全再生時間とが一致するように、繋ぎ合わせた音声データの一部を削除、または一部を付加することを特徴とする請求項２に記載の画像再生装置。
【請求項４】
前記音声データ編集手段は、１個分の音声データで前記補填を行うことを特徴とする請求項１に記載の画像再生装置。
【請求項５】
画像データに添付される撮影情報を元に、スライドショーに用いる画像データの撮影場所を特定する撮影場所特定手段をさらに有し、
前記音声データ編集手段は、前記撮影場所特定手段で同一の撮影場所と判断された画像データ同士で前記補填を行うことを特徴とする請求項１ないし４のいずれかに記載の画像再生装置。
【請求項６】
前記撮影場所特定手段は、前記撮影情報として、撮影位置、または撮影日時を参照して前記特定を行うことを特徴とする請求項５に記載の画像再生装置。
【請求項７】
前記音声データ編集手段は、前記補填を行った後の音声データの繋ぎ目に対して、フェードイン／フェードアウト処理を施すことを特徴とする請求項１ないし６のいずれかに記載の画像再生装置。
【請求項８】
音声とともに画像をスライドショー表示するためのスライドショーデータを作成する方法であって、
スライドショーに用いる画像データから音声データを抽出し、
スライドショーの全編にわたって音声が出力されるように、音声データがない画像データに抽出した音声データを補填して、スライドショーに用いる音声データを編集することを特徴とするスライドショーデータ作成方法。
【請求項９】
抽出した音声データを繋ぎ合わせ、この繋ぎ合わせた音声データで前記補填を行うことを特徴とする請求項８に記載のスライドショーデータ作成方法。
【請求項１０】
スライドショーの全表示時間と、音声データの全再生時間とが一致するように、繋ぎ合わせた音声データの一部を削除、または一部を付加することを特徴とする請求項９に記載のスライドショーデータ作成方法。
【請求項１１】
１個分の音声データで前記補填を行うことを特徴とする請求項８に記載のスライドショーデータ作成方法。
【請求項１２】
画像データに添付される撮影情報を元に、スライドショーに用いる画像データの撮影場所を特定し、
同一の撮影場所と判断された画像データ同士で前記補填を行うことを特徴とする請求項８ないし１１のいずれかに記載のスライドショーデータ作成方法。
【請求項１３】
前記撮影情報として、撮影位置、または撮影日時を参照して前記特定を行うことを特徴とする請求項１２に記載のスライドショーデータ作成方法。
【請求項１４】
前記補填を行った後の音声データの繋ぎ目に対して、フェードイン／フェードアウト処理を施すことを特徴とする請求項８ないし１３のいずれかに記載のスライドショーデータ作成方法。
【請求項１５】
音声とともに画像をスライドショー表示するためのスライドショーデータを作成する処理をコンピュータに実行させるスライドショーデータ作成プログラムであって、
スライドショーに用いる画像データから音声データを抽出する音声データ抽出処理と、
スライドショーの全編にわたって音声が出力されるように、音声データがない画像データに抽出した音声データを補填して、スライドショーに用いる音声データを編集する音声データ編集処理とを前記コンピュータに実行させることを特徴とするスライドショーデータ作成プログラム。
【請求項１６】
抽出した音声データを繋ぎ合わせ、この繋ぎ合わせた音声データで前記補填を行うように前記コンピュータを機能させることを特徴とする請求項１５に記載のスライドショーデータ作成プログラム。
【請求項１７】
スライドショーの全表示時間と、音声データの全再生時間とが一致するように、繋ぎ合わせた音声データの一部を削除、または一部を付加する音声データ削除／付加処理を前記コンピュータに実行させることを特徴とする請求項１６に記載のスライドショーデータ作成プログラム。
【請求項１８】
１個分の音声データで前記補填を行うように前記コンピュータを機能させることを特徴とする請求項１５に記載のスライドショーデータ作成プログラム。
【請求項１９】
画像データに添付される撮影情報を元に、スライドショーに用いる画像データの撮影場所を特定する撮影場所特定処理を前記コンピュータに実行させ、
同一の撮影場所と判断された画像データ同士で前記補填を行うように前記コンピュータを機能させることを特徴とする請求項１５ないし１８のいずれかに記載のスライドショーデータ作成プログラム。
【請求項２０】
前記撮影情報として、撮影位置、または撮影日時を参照して前記特定を行うように前記コンピュータを機能させることを特徴とする請求項１９に記載のスライドショーデータ作成プログラム。
【請求項２１】
前記補填を行った後の音声データの繋ぎ目に対して、フェードイン／フェードアウト処理を施すように前記コンピュータを機能させることを特徴とする請求項１５ないし２０のいずれかに記載のスライドショーデータ作成プログラム。
【発明の詳細な説明】
【技術分野】
【０００１】
本発明は、音声とともに画像をスライドショーで表示する画像再生装置、並びに音声とともに画像をスライドショーで表示するためのスライドショーデータを作成するスライドショーデータ作成方法およびプログラムに関する。
【背景技術】
【０００２】
従来から、デジタルカメラやカメラ付き携帯電話で撮影した静止画像を、複数枚の静止画像を所定時間で切り替えて表示する、いわゆるスライドショーで表示して鑑賞することが行われている。
【０００３】
上記のようなスライドショーを表示する装置として、静止画像データに付加された音声データの出力レベルを評価して、出力レベルが所定値以下の場合は予め装置側で用意したＢＧＭを出力する画像再生装置が提案されている（特許文献１参照）。この技術によれば、視覚だけでなく、聴覚によってもユーザーに撮影したシーンの情景を思い浮かべさせることができ、スライドショーを鑑賞する際の興趣が増すという効果が期待できる。
【特許文献１】特開２００４−２１５１２３号公報
【発明の開示】
【発明が解決しようとする課題】
【０００４】
しかしながら、特許文献１に記載の技術では、音声データの出力レベルが所定値以下の場合は、予め装置側で用意されたＢＧＭを出力するようにしているので、スライドショーの全編にわたるＢＧＭに統一感がなく、また、撮影シーンと全く関係のないＢＧＭが出力されることがあるので、視覚と聴覚によってユーザーに撮影シーンの情景を思い浮かべさせるという本来の趣旨から逸脱したものとなるおそれがあった。
【０００５】
本発明は、上記課題を鑑みてなされたものであり、スライドショーを鑑賞する際の興趣をより引き立たせることができる画像再生装置、並びにスライドショーデータ作成方法およびプログラムを提供することを目的とする。
【課題を解決するための手段】
【０００６】
上記目的を達成するために、請求項１に記載の発明は、音声データ付きの画像データを含む複数の画像データを記憶する記憶手段と、画像を表示する画像表示手段と、音声を出力する音声出力手段とを備え、音声とともに画像をスライドショーで表示する画像再生装置において、スライドショーに用いる画像データから音声データを抽出する音声データ抽出手段と、スライドショーの全編にわたって音声が出力されるように、音声データがない画像データに前記音声データ抽出手段で抽出した音声データを補填して、スライドショーに用いる音声データを編集する音声データ編集手段とを有することを特徴とする。
【０００７】
なお、前記音声データ編集手段は、前記音声データ抽出手段で抽出した音声データを繋ぎ合わせ、この繋ぎ合わせた音声データで前記補填を行うことが好ましい。この場合、前記音声データ編集手段は、スライドショーの全表示時間と、音声データの全再生時間とが一致するように、繋ぎ合わせた音声データの一部を削除、または一部を付加することが好ましい。
【０００８】
あるいは、前記音声データ編集手段は、１個分の音声データで前記補填を行うことが好ましい。
【０００９】
画像データに添付される撮影情報を元に、スライドショーに用いる画像データの撮影場所を特定する撮影場所特定手段をさらに有し、前記音声データ編集手段は、前記撮影場所特定手段で同一の撮影場所と判断された画像データ同士で前記補填を行うことが好ましい。この場合、前記撮影場所特定手段は、前記撮影情報として、撮影位置、または撮影日時を参照して前記特定を行うことが好ましい。
【００１０】
前記音声データ編集手段は、前記補填を行った後の音声データの繋ぎ目に対して、フェードイン／フェードアウト処理を施すことが好ましい。
【００１１】
請求項８に記載の発明は、音声とともに画像をスライドショー表示するためのスライドショーデータを作成する方法であって、スライドショーに用いる画像データから音声データを抽出し、スライドショーの全編にわたって音声が出力されるように、音声データがない画像データに抽出した音声データを補填して、スライドショーに用いる音声データを編集することを特徴とする。
【００１２】
なお、抽出した音声データを繋ぎ合わせ、この繋ぎ合わせた音声データで前記補填を行うことが好ましい。この場合、スライドショーの全表示時間と、音声データの全再生時間とが一致するように、繋ぎ合わせた音声データの一部を削除、または一部を付加することが好ましい。
【００１３】
あるいは、１個分の音声データで前記補填を行うことが好ましい。
【００１４】
画像データに添付される撮影情報を元に、スライドショーに用いる画像データの撮影場所を特定し、同一の撮影場所と判断された画像データ同士で前記補填を行うことが好ましい。この場合、前記撮影情報として、撮影位置、または撮影日時を参照して前記特定を行うことが好ましい。
【００１５】
前記補填を行った後の音声データの繋ぎ目に対して、フェードイン／フェードアウト処理を施すことが好ましい。
【００１６】
請求項１５に記載の発明は、音声とともに画像をスライドショー表示するためのスライドショーデータを作成する処理をコンピュータに実行させるスライドショーデータ作成プログラムであって、スライドショーに用いる画像データから音声データを抽出する音声データ抽出処理と、スライドショーの全編にわたって音声が出力されるように、音声データがない画像データに抽出した音声データを補填して、スライドショーに用いる音声データを編集する音声データ編集処理とを前記コンピュータに実行させることを特徴とする。
【００１７】
なお、抽出した音声データを繋ぎ合わせ、この繋ぎ合わせた音声データで前記補填を行うように前記コンピュータを機能させることが好ましい。この場合、スライドショーの全表示時間と、音声データの全再生時間とが一致するように、繋ぎ合わせた音声データの一部を削除、または一部を付加する音声データ削除／付加処理を前記コンピュータに実行させることが好ましい。
【００１８】
あるいは、１個分の音声データで前記補填を行うように前記コンピュータを機能させることが好ましい。
【００１９】
画像データに添付される撮影情報を元に、スライドショーに用いる画像データの撮影場所を特定する撮影場所特定処理を前記コンピュータに実行させ、同一の撮影場所と判断された画像データ同士で前記補填を行うように前記コンピュータを機能させることが好ましい。この場合、前記撮影情報として、撮影位置、または撮影日時を参照して前記特定を行うように前記コンピュータを機能させることが好ましい。
【００２０】
前記補填を行った後の音声データの繋ぎ目に対して、フェードイン／フェードアウト処理を施すように前記コンピュータを機能させることが好ましい。
【発明の効果】
【００２１】
本発明の画像再生装置、並びにスライドショーデータ作成方法およびプログラムによれば、音声データ抽出手段により、スライドショーに用いる画像データから音声データを抽出し、音声データ編集手段により、スライドショーの全編にわたって音声が出力されるように、音声データがない画像データに抽出した音声データを補填して、スライドショーに用いる音声データを編集するようにしたので、撮影シーンと全く関係のないＢＧＭが出力されることがなく、ユーザーに撮影シーンの情景をより鮮明に思い浮かべさせることができる。したがって、スライドショーを鑑賞する際の興趣をより引き立たせることができる。
【発明を実施するための最良の形態】
【００２２】
図１において、本発明を適用した画像再生装置としてのパーソナルコンピュータ（以下、ＰＣと略記する。）２は、音声とともにスライドショーを鑑賞することが可能となっており、ＣＰＵ１０により全体を統括的に制御される。ＣＰＵ１０には、スライドショーや各種プログラムにおける作業ウィンドウを表示するモニタ１１、音声を出力するスピーカー１２、キーボードやマウスからなる操作部１３、メモリカード１４に記録された音声データ付き画像データを含む画像データ群を読み込むためのデータ読み込み部１５、ハードディスクドライブ（以下、ＨＤＤと略記する。）１６、およびメモリ１７が接続されている。
【００２３】
ＨＤＤ１６には、ＰＣ２の動作に必要な各種プログラムやデータとともに、スライドショーデータ作成プログラム（以下、単に作成プログラムという。）１８が記憶されている。また、データ読み込み部１５により読み込まれた画像データ群も記憶される。メモリ１７には、ＨＤＤ１６から読み出したデータや、各種演算処理により生じる中間データが一時記憶される。
【００２４】
作成プログラム１８が起動されると、モニタ１１に作成プログラム１８の作業ウィンドウが表示される。ユーザーは、この作業ウィンドウ上で操作部１３を操作することにより、スライドショーに用いる画像データを選出し、併せてスライドショーのコマ送り時間を設定する。
【００２５】
また、作成プログラム１８が起動されると、ＣＰＵ１０には、スライドショーデータ作成部（以下、単に作成部という。）１９が構築される。作成部１９は、撮影場所特定回路２０、音声データ抽出回路２１、および音声データ編集回路２２を備えている。
【００２６】
撮影場所特定回路２０は、画像データに添付されるＥｘｉｆタグなどに記述された撮影位置（ＧＰＳによって取得される座標、撮影方位など）Ｐn、または撮影日時Ｔnを元に、スライドショーに用いる画像データの撮影場所を特定する。撮影場所特定回路２０は、この特定結果を音声データ抽出回路２１および音声データ編集回路２２に送信する。
【００２７】
撮影位置Ｐnを参照する場合、撮影場所特定回路２０は、スライドショー用に選出された全画像データをＨＤＤ１６から読み出し、撮影位置Ｐnに基づいて撮影場所を割り出す。
【００２８】
一方、撮影日時Ｔnを参照する場合、撮影場所特定回路２０は、スライドショー用に選出された画像データを、ＨＤＤ１６から一コマ宛撮影日時順に読み出し、前コマの撮影日時との差分ΔＴn＝Ｔn−Ｔn-1が所定値Ｔth以下であったとき、そのコマの画像データを前コマと同一の撮影場所と判断し、ΔＴnが所定値Ｔth以上であったとき、前コマとは違う次の撮影場所と判断する。
【００２９】
音声データ抽出回路２１は、撮影場所特定回路２０で同一の撮影場所と判断された画像データ毎に、画像データから音声データを抽出し、これを音声データ編集回路２２に送信する。
【００３０】
図２に概念的に示すように、音声データ編集回路２２は、音声データ抽出回路２０で抽出し、撮影場所特定回路２０で同一の撮影場所と判断された画像データの音声データ同士を、スライドショーの表示順に沿って繋ぎ合わせる。なお、スライドショーの表示順は、撮影日時の古いものから順になっている。
【００３１】
音声データ編集回路２２は、撮影場所特定回路２０で同一の撮影場所と判断された画像データによるスライドショーの全表示時間と、その音声データの全再生時間とが一致するように、繋ぎ合わせた音声データの一部（例えば再生順が最後の音声データ）を削除、または繋ぎ合わせた音声データの一部を付加して、スライドショー用の音声データを編集する。
【００３２】
図２では、「運動会のリレー」が撮影場所として例示され、表示順１は「第１走者」、２は「バトンタッチ」、３は「ゴール」というように、撮影日時の古いものから順になっている。この場合、表示順２の「バトンタッチ」に音声データが付加されていないが、これをスライドショーで表示した際には、「第１走者」または／および「ゴール」の画像データに付加された音声データの一部による音声が出力されることとなる。
【００３３】
次に、上記構成を有するＰＣ２でスライドショーを表示するまでの流れを、図３〜図５のフローチャートを参照して説明する。まず、図３において、ユーザーにより操作部１５が操作されて作成プログラム１８が起動されると、ＣＰＵ１０に作成部１９が構築される。これと同時に、モニタ１１に作成プログラム１８の作業ウィンドウが表示され、ユーザーにより操作部１３が操作されて、スライドショーに用いる画像データが選出され、併せてスライドショーのコマ送り時間が設定される。
【００３４】
撮影場所特定回路２０では、画像データに添付された撮影位置Ｐn、または撮影日時Ｔnを元に、スライドショーに用いる画像データの撮影場所が特定される。そして、撮影場所特定回路２０で同一の撮影場所と判断された画像データが、一纏まりのグループとして認識される。この特定結果は、音声データ抽出回路２１および音声データ編集回路２２に送信される。
【００３５】
撮影位置Ｐnを参照する場合は、図４に示すように、スライドショー用に選出された全画像データがＨＤＤ１６から撮影場所特定処理２０に読み出され、撮影位置Ｐnに基づいて撮影場所が割り出される。
【００３６】
一方、撮影日時Ｔnを参照する場合は、図５に示すように、スライドショー用に選出された画像データが、ＨＤＤ１６から撮影場所特定回路２０に、一コマ宛撮影日時順に読み出される。そして、前コマの撮影日時との差分ΔＴn＝Ｔn−Ｔn-1が計算され、ΔＴnが所定値Ｔth以下であったとき、そのコマの画像データが前コマと同一の撮影場所と判断され、ΔＴnが所定値Ｔth以上であったとき、前コマとは違う次の撮影場所と判断される。
【００３７】
図３に戻って、音声データ抽出回路２１では、撮影場所特定回路２０で同一の撮影場所と判断された画像データ毎に、画像データから音声データが抽出される。抽出された音声データは、音声データ編集回路２２に送信される。
【００３８】
音声データ編集回路２２では、音声データ抽出回路２０で抽出され、撮影場所特定回路２０で同一の撮影場所と判断された画像データの音声データ同士が、スライドショーの表示順に沿って繋ぎ合わされる。そして、撮影場所特定回路２０で同一の撮影場所と判断された画像データによるスライドショーの全表示時間と、その音声データの全再生時間とが一致するように、繋ぎ合わされた音声データの一部が削除、または繋ぎ合わされた音声データの一部が付加される。これにより、スライドショー用の音声データが作成される。
【００３９】
作成部１９では、スライドショー用に選出された画像データと、音声データ編集回路２２で編集されたスライドショー用の音声データとから、指定されたコマ送り時間で、撮影場所特定回路２０で同一の撮影場所であると認識されたグループ毎に、撮影日時順で画像がスライドショー表示されるように、画像データと音声データとからなるスライドショーデータが作成される。このようにして作成されたスライドショーデータに基づいて、スピーカー１２から音声が出力されるとともに、モニタ１１にスライドショーが表示される。
【００４０】
以上詳細に説明したように、画像再生装置２では、音声データ抽出回路２１により、スライドショーに用いる画像データから音声データを抽出し、音声データ編集回路２２により、スライドショーの全編にわたって音声が出力されるように、音声データがない画像データに抽出した音声データを補填して、スライドショーに用いる音声データを編集するようにしたので、撮影シーンと全く関係のないＢＧＭが出力されることがなく、ユーザーに撮影シーンの情景をより鮮明に思い浮かべさせることができる。したがって、スライドショーを鑑賞する際の興趣をより引き立たせることができる。
【００４１】
また、撮影場所特定回路２０でスライドショーに用いる画像データの撮影場所を特定し、同一の撮影場所と判断された画像がスライドショー表示される際に、その撮影場所に関する音声が必ず出力されるようにしたので、スライドショーに統一感が生まれ、より臨場感に溢れたスライドショー表示を行うことができる。
【００４２】
上記実施形態では、繋ぎ合わせた音声データで補填を行う例を示したが、本発明はこれに限定されず、図６に概念的に示すように、１個分の音声データで補填を行ってもよい。この場合、例えば、音声データのない画像データの前コマまたは後コマの画像データに付加された音声データや、音声データのある画像データのうち、撮影日時が最も古い画像データの音声データを補填に用いる。なお、この場合、スライドショーのコマ送り時間は、音声データの再生時間に依存する。
【００４３】
図６では、図２に示す例と同様に、「運動会のリレー」が撮影場所として例示され、表示順２の「バトンタッチ」に音声データが付加されていないが、これをスライドショーで表示した際には、「ゴール」の画像データに付加された音声データによる音声が出力されることとなる。
【００４４】
なお、スライドショー表示を行った際に、ユーザーに不自然な印象を与えないために、補填を行った後の音声データの繋ぎ目に対して、フェードイン／フェードアウト処理を施してもよい。また、スライドショーデータ作成時に、画像データに付加された音声データをＢＧＭとして採用するか、予め画像再生装置２側で用意したＢＧＭを採用するかを、ユーザーに選択させるようにしてもよい。
【００４５】
上記実施形態では、音声とともに画像をスライドショーで表示する例を挙げて説明したが、静止画像の一部を切り出して特定の被写体をクローズアップするズームイン処理や、静止画像の端から端へ視点を移動させるパーン処理などの特殊エフェクトを複数の静止画像に対して施し、静止画像をあたかも動画像のように再生するフォトムービーに本発明を適用してもよい。
【００４６】
なお、上記実施形態で挙げた態様は一例であり、音声とともに画像をスライドショーで表示する際に、スライドショーの全編にわたって、画像データから抽出した音声データによる音声が出力されるようにするという本発明の趣旨を逸脱するものでなければ、如何なる態様を適用してもよい。
【図面の簡単な説明】
【００４７】
【図１】本発明を適用したパーソナルコンピュータの内部構成を示すブロック図である。
【図２】音声データの編集の手順を概念的に示す説明図である。
【図３】スライドショーを表示するまでの流れを示すフローチャートである。
【図４】撮影位置を参照して撮影場所を特定する場合の処理手順を示すフローチャートである。
【図５】撮影日時を参照して撮影場所を特定する場合の処理手順を示すフローチャートである。
【図６】別の実施形態における音声データの編集の手順を概念的に示す説明図である。
【符号の説明】
【００４８】
２  パーソナルコンピュータ（ＰＣ）
１０  ＣＰＵ
１１  モニタ
１２  スピーカー
１６  ハードディスクドライブ（ＨＤＤ）
１８  スライドショーデータ作成プログラム（作成プログラム）
１９  スライドショーデータ作成部（作成部）
２０  撮影場所特定回路
２１  音声データ抽出回路
２２  音声データ編集回路
【図１】
2006304091.tif 000003
【図２】
2006304091.tif 000004
【図３】
2006304091.tif 000005
【図４】
2006304091.tif 000006
【図５】
2006304091.tif 000007
【図６】
2006304091.tif 000008